(57)【要約】【課題】印刷ジョブの設定を変更するよう警告画面を表示する場合に、警告されない設定に印刷ジョブの設定を変更する際のユーザの作業効率を向上させることができる印刷制御装置、制御方法、およびプログラムを提供する。【解決手段】ＭＦＰ１０２のＲＡＭ３０３の留め置き印刷用領域６０１に留め置きされている印刷ジョブの設定１２００に、警告対象として設定されている管理者設定７００と一致する設定がある場合、その一致する設定を画像表示装置３０４の警告画面８００上に表示し、ユーザのその警告画面８００の「設定変更してプリント」ボタンを押下したときに、その一致する設定を一括で推奨設定１３００に変換する。【選択図】図１１
2018144256.tif 000002
【特許請求の範囲】
【請求項１】
印刷ジョブを留め置きする印刷制御装置において、
前記印刷ジョブの設定が警告対象として設定されている管理者設定と一致するか否かを判断する判断手段と、
前記判断手段により、前記印刷ジョブの設定に前記管理者設定と一致する設定があると判断された場合、前記一致する設定を警告画面の上に表示する第１の表示手段と、
前記一致する設定を一括で予め設定されている推奨設定に変換する変換手段とを備えることを特徴とする印刷制御装置。
【請求項２】
前記第１の表示手段は、前記一致する設定を強調表示することを特徴とする請求項１記載の印刷制御装置。 
【請求項３】
前記変換手段により前記一致する設定を一括で前記推奨設定に変換し印刷を行う前に、当該変換を行うか否かをユーザに問い合わせる問合手段を更に備えることを特徴とする請求項１又は２記載の印刷制御装置。
【請求項４】
前記問合手段による前記ユーザへの問い合わせの際、前記推奨設定を表示する第２の表示手段を更に備えることを特徴とする請求項３記載の印刷制御装置。
【請求項５】
前記問合手段による前記ユーザへの問い合わせの結果、前記変換を行う場合、前記推奨設定を反映した前記印刷ジョブの設定をユーザによる再変更が可能な状態で表示する第２の表示手段を更に備えることを特徴とする請求項３記載の印刷制御装置。 
【請求項６】
前記第２の表示手段は、前記変換手段により変換された設定を強調表示することを特徴とする請求項５記載の印刷制御装置。 
【請求項７】
前記第２の表示手段は、前記変換手段により変換された設定を含む、前記印刷ジョブの設定の全てを表示するか、前記推奨設定のみを表示するかを切り替える切替手段を有することを特徴とする請求項５又は６に記載の印刷制御装置。
【請求項８】
印刷ジョブを留め置きする印刷制御装置の制御方法において、
前記印刷ジョブの設定が警告対象として設定されている管理者設定と一致するか否かを判断する判断ステップと、
前記判断ステップにおいて、前記印刷ジョブの設定に前記管理者設定と一致する設定があると判断された場合、前記一致する設定を画像表示装置の警告画面の上に表示する表示ステップと、
前記一致する設定を一括で予め設定されている推奨設定に変換する変換ステップとを有することを特徴とする制御方法。
【請求項９】
請求項８記載の制御方法を実行することを特徴とするプログラム。
【発明の詳細な説明】
【技術分野】
【０００１】
本発明は、印刷制御装置、制御方法、およびプログラムに関し、特に留め置き印刷を行う印刷制御装置、制御方法、およびプログラムに関するものである。
【背景技術】
【０００２】
近年、ＰＣから投入された印刷ジョブをＭＦＰ内の補助記憶装置内の一時保存領域に留め置き、ユーザが任意のタイミングでＭＦＰにログインして、自分の投入した印刷ジョブを印刷できる印刷制御方法が存在する。更に、ユーザのエコ印刷の意識を高めるため、印刷ジョブの設定にエコ印刷とならないものがある場合に、警告画面を表示するＭＦＰも存在する。
【０００３】
このような中で、特許文献１では管理者が事前に印刷ジョブの設定を用意して、ユーザが印刷指示をおこなった時、印刷ジョブの設定を強制的に管理者が用意した設定に変換する。
【先行技術文献】
【特許文献】
【０００４】
【特許文献１】特開２００８−１５２７２６号公報
【発明の概要】
【発明が解決しようとする課題】
【０００５】
しかしながら、従来のＭＦＰにおいて上記警告画面で警告されないような設定にユーザが印刷ジョブの設定を変更するには、一旦警告画面を閉じて、各ジョブに対して、設定変更を実施しなくてはならない。また、特許文献１は強制的にユーザの印刷ジョブの設定を管理者が事前に用意した設定に変換するが、ユーザに選択の余地を与えずに印刷ジョブの設定を一律変換すると、ユーザの使い勝手が悪くなる。
【０００６】
本発明の目的は、印刷ジョブの設定を変更するよう警告画面を表示する場合に、警告されない設定に印刷ジョブの設定を変更する際のユーザの作業効率を向上させることができる印刷制御装置、制御方法、およびプログラムを提供することである。
【課題を解決するための手段】
【０００７】
本発明の請求項１に係る印刷制御装置は、印刷ジョブを留め置きする印刷制御装置において、前記印刷ジョブの設定が警告対象として設定されている管理者設定と一致するか否かを判断する判断手段と、前記判断手段により、前記印刷ジョブの設定に前記管理者設定と一致する設定があると判断された場合、前記一致する設定を警告画面の上に表示する第１の表示手段と、前記一致する設定を一括で予め設定されている推奨設定に変換する変換手段とを備えることを特徴とする。
【発明の効果】
【０００８】
本発明によれば、印刷ジョブの設定を変更するよう警告画面を表示する場合に、警告されない設定に印刷ジョブの設定を変更する際のユーザの作業効率を向上させることができる。
【図面の簡単な説明】
【０００９】
【図１】本発明の実施例１に係る印刷制御装置としてのＭＦＰを含む留め置き印刷のシステム構成を示す図である。
【図２】図１におけるＰＣのハードウェア構成を示すブロック図である。
【図３】ＭＦＰのハードウェア構成を示すブロック図である。
【図４】ＰＣが有する制御プログラムのモジュールを示す図である。
【図５】ＭＦＰが有する制御プログラムのモジュールを示す図である。
【図６】図３における補助記憶装置内の領域区分を示す図である。
【図７】図５における管理者設定取得部で取得される管理者設定の設定画面である。
【図８】実施例１にかかる、画像表示装置に表示される警告画面である。
【図９】実施例２にかかる、画像表示装置に表示される警告画面である。
【図１０】実施例２にかかる、画像表示装置に表示される設定変更画面である。
【図１１】実施例１にかかる印刷設定変更処理の手順を示すフローチャートである。
【図１２】ＰＣから送信される印刷ジョブの設定を説明するための図である。
【図１３】画像表示装置に表示される推奨設定を設定する画面である。
【図１４】推奨設定として設定変更可能な選択肢を示すテーブルである。
【発明を実施するための形態】
【００１０】
以下、本発明を実施するための形態について図面を用いて説明する。
【実施例１】
【００１１】
本実施例にかかる印刷制御装置としてのＭＦＰ１０２では、制御部５０２がＰＣ１０１（情報処理装置）から投入された印刷ジョブを受け付けて、印刷ジョブ格納部５０１により留め置き印刷用領域６０１に格納する。また、管理者設定取得部５０３が警告対象として予め設定された管理者設定７００を取得すると、警告設定判断部５０４はその取得した管理者設定７００と印刷ジョブの設定１２００と比較する。この比較の結果、一致する設定がある場合は制御部５０２が警告画面８００を画像表示装置３０４に表示する。更に、ユーザは警告画面８００の「設定変更してプリント」ボタン８５０（問合手段）を押下した場合、設定変更部５０５は印刷ジョブの設定１２００のうち上記一致する設定を推奨設定１３００に変換して、印刷実行部５０６が印刷ジョブを出力する。
【００１２】
なお、本実施例では警告対象として予め設定された管理者設定７００と一致する設定が印刷ジョブの設定１２００にある場合、印刷ジョブのページ数に関わらず警告画面８００を表示するが、かかる構成に限定されるわけでない。例えば、印刷ジョブのページ数が所定枚数以上（例えば、５０枚以上）のときのみ警告画面８００を表示するような設定に変更可能としてもよい。すなわち、印刷ジョブのページ数が５０枚未満では警告画面８００の表示を行わないように設定を変更可能にしてもよい。
【００１３】
図１は、本発明の実施例１に係る印刷制御装置としてのＭＦＰ１０２を含む留め置き印刷のシステム構成を示す図である。
【００１４】
図１において、１０１はＬＡＮ２１０に接続可能なＰＣであり、１０２はＰＣ１０１から受信した印刷ジョブの印刷が可能なＭＦＰである。本実施例では、ＰＣ１０１とＭＦＰ１０２はＬＡＮ２１０を介して接続するものとするが、本発明は、パラレルケーブルやシリアルケーブル、ＵＳＢケーブル等により、ＰＣ１０１とＭＦＰ１０２を接続する形態であっても適用できる。
【００１５】
図２は、図１におけるＰＣ１０１のハードウェア構成を示すブロック図である。
【００１６】
図２において、２０１はＰＣ１０１全体を制御する際の情報処理を行うＣＰＵ、２０２はＣＰＵ２０１のワークエリアの提供やデータの一時保管を行うためのＲＡＭ、２０３は制御プログラム等を保持する補助記憶装置である。ここで、補助記憶装置２０３は、ハードディスク、フロッピーディスク、ＣＤ−ＲＯＭ等により構成される。
【００１７】
２０４はユーザにメッセージを通知する目的等で使用される画像表示装置（具体的にはＣＲＴディスプレイ、液晶ディスプレイ等）である。２０５は、ユーザのコマンドを入力するユーザコマンド入力装置（具体的にはマウス、キーボード等）である。２０６はＬＡＮ２１０を介して他のネットワーク機器と相互にデータをやりとりするためのネットワークインタフェースカード（ＮＩＣ）である。２０９はメインバスである。
【００１８】
図３は、図１におけるＭＦＰ１０２のハードウェア構成を示すブロック図である。
【００１９】
図３において、３０１はＭＦＰ１０２全体を制御する際の情報処理を行うＣＰＵである。３０２はＣＰＵ３０１のワークエリアの提供やデータの一時保管を行うためのＲＡＭである。３０３は制御プログラム等を保持すると共に、データの一時保管等でＲＡＭ３０２の代わりに用いられる補助記憶装置（ハードディスク、ＣＤ−ＲＯＭ等）である。３０４は液晶パネル等の画像表示装置で、ＭＦＰ１０２の状態や、エラーメッセージ等を表示する場合に用いることができる。３０５はユーザコマンド入力装置（タッチパネル等）で、所望する印刷ジョブの指定等をユーザが操作するためのものである。３０６はＬＡＮ２１０を介して、他のネットワーク機器と双方向にデータをやり取りするためのＮＩＣである。３０７はスキャンした画像データ等を用紙に印刷するための印刷部（印刷エンジン）である。印刷部３０７は印刷処理に関わる給紙オプション（給紙カセット等）や排紙オプション（フィニッシャ装置等）の状態を識別可能とする。３０８は原稿台に置かれた紙原稿を読み取り白黒２値やカラー多値の画像データ等を生成する読取部（スキャナー）である。読み取った画像データは、印刷部３０７で印刷する事が可能であり、また補助記憶装置３０３に留め置いた印刷ジョブに基づく印刷を任意のタイミングで実施する事も可能である。３２０はカードリーダ等からなる認証装置である。ユーザは認証用のカードを認証装置３２０にかざすことにより、ＭＦＰ１０２にログインできる。また、認証装置３２０はユーザにキーボード認証も提供する。３０９はメインバスである。
【００２０】
図６は、図３における補助記憶装置３０３内の領域区分を示す図である。
【００２１】
本実施例では、補助記憶装置３０３は、留め置き印刷用領域６０１、管理者設定格納用領域６０２を有する。留め置き印刷用領域６０１はＰＣ１０１から送信され留め置かれている印刷ジョブを格納するための領域である。管理者設定格納用領域６０２は後述する図７の管理者設定を格納するための領域である。
【００２２】
図４は、ＰＣ１０１が有する制御プログラム４００のモジュールを示す図である。
【００２３】
図４において、制御プログラム４００は、ＣＰＵ２０１がＲＡＭ２０２に読み出し実行するものとする。４０１はテキストエディタ等の任意のアプリケーションからの指示により、印刷ジョブを生成しＭＦＰ１０２に投入するためのプリンタドライバである。４０２はプリンタドライバ４０１が生成した印刷ジョブをＭＦＰ１０２に投入して、投入した印刷ジョブの処理結果をＭＦＰ１０２から受信する際に使用するデータ通信部である。データ通信部４０２はハードウェア的にはＮＩＣ２０６を使用するが、ＵＳＢ等のインタフェースであっても良い。
【００２４】
図５は、ＭＦＰ１０２が有する制御プログラム５００のモジュールを示す図である。
【００２５】
この制御プログラム５００は、留め置き印刷用領域６０１に留め置きされる印刷ジョブに対する後述する図１１の印刷設定変更処理を行なうためのプログラムであり、補助記憶装置３０３に格納される。
【００２６】
図５において、制御プログラム５００は、ＣＰＵ３０１がＲＡＭ３０２に読み出し実行するものとする。５０１はＰＣ１０１から投入された印刷ジョブを留め置き印刷用領域６０１に格納する印刷ジョブ格納部である。５０２は留め置き印刷用領域６０１にある印刷ジョブの設定１２００と後述の管理者設定取得部５０３で取得される管理者設定７００を読みだす制御部である。また、制御部５０２はＭＦＰ１０２の画像表示装置３０４に図８の警告画面８００を表示する。５０３はＭＦＰ１０２で予め保持される管理者設定７００を取得する管理者設定取得部である。ここで、管理者設定７００とは、図７の画面で予め管理者により設定される警告対象であって、警告画面８００に表示される設定である。５０４は警告画面８００を表示するか否かを判断する警告設定判断部である。具体的には、警告設定判断部５０４は管理者設定取得部５０３が取得した管理者設定７００と、制御部５０２が読み出した印刷ジョブの設定１２００とを比較する。この比較の結果、一致する設定がある場合、警告設定判断部５０４は警告画面８００を表示すると判断する。５０５は設定変更部であり、警告画面８００でユーザが「設定変更してプリント」ボタン８５０を押下した場合、印刷ジョブの設定１２００のうち管理者設定７００と一致する設定を推奨設定１３００に変換する。５０６は印刷ジョブの印刷を実行する印刷実行部である。
【００２７】
図７は、図５における管理者設定取得部５０３で取得される管理者設定７００の設定画面である。
【００２８】
図７において、７２０は印刷時に警告表示を実施するか否かを決定するスイッチである。７０１〜７０３は、印刷ジョブの設定１２００のうち１ｉｎ１、片面プリント、カラープリントがある場合に警告画面８００を表示するか否か、すなわちこれらの設定を警告対象とするか否かを決定するスイッチである。例えば、スイッチ７２０、７０１〜７０３が全てＯＮである場合、留め置きされた印刷ジョブの印刷時に、管理者設定取得部５０３が１ｉｎ１、片面プリント、カラープリントを管理者設定７００として取得する。また、制御部５０２が印刷ジョブの設定１２００を読み出すと、警告設定判断部５０４がその読みだされた設定１２００を管理者設定取得部５０３が取得した管理者設定７００と比較する。比較の結果、管理者設定７００である１ｉｎ１、片面プリント、カラープリントのいずれかと一致する設定が印刷ジョブの設定１２００にある場合、制御部５０２は警告画面８００を画像表示装置３０４に表示する。一方、一致する設定がない場合、制御部５０２は警告画面８００を表示しない。
【００２９】
ここで、警告画面８００は図８に示すように、管理者設定７００として取得した設定（１ｉｎ１、片面プリント、カラープリント）８０１〜８０３が表示される。また、この設定８０１〜８０３のうち、警告設定判断部５０４が印刷ジョブの設定１２００のうち管理者設定７００と一致すると判定した設定については強調表示がされる。本実施例では、設定８０１〜８０３のうち設定８０１のみが印刷ジョブの設定１２００のうち管理者設定７００と一致する設定であるので、図８に示すように設定８０１のみが太字で警告画面８００に表示される。
【００３０】
次に、ユーザが警告画面８００にある「このままプリント」ボタン８３０を押下する場合、印刷実行部５０６は印刷ジョブをその設定１２００を変更することなくそのまま出力する。
【００３１】
また、ユーザが警告画面８００にある「設定変更してプリント」ボタン８５０を押下する場合、設定変更部５０５は推奨設定１３００を読み出し、印刷ジョブの設定１２００のうち管理者設定７００と一致する設定８０１を推奨設定１３００に変換する。この変換後、印刷実行部５０６は変換済みの印刷ジョブを出力する。尚、設定８０１〜８０３のうちの複数の設定が、印刷ジョブの設定１２００のうち管理者設定７００と一致する設定である場合、設定変更部５０５はその複数の設定を一括で推奨設定１３００に変換する。これにより、ユーザは警告された印刷ジョブの設定１２００を警告されない設定に容易に変更することができる。
【００３２】
一方、ユーザが警告画面８００にある「プリントしない」ボタン８４０を押下する場合、印刷実行部５０６は印刷ジョブの印刷投入をキャンセルする。
【００３３】
ここで、図１２に示すように、留め置き印刷用領域６０１に留め置きされる印刷ジョブの設定１２００には、管理者設定７００と一致する可能性のあるカラーモード、片両面設定、ページ集約の属性を示す設定１２０２〜１２０４が含まれる。さらに印刷ジョブの設定１２００にはジョブ名やページ数の属性を示す設定１２０１，１２０５が含まれる。
【００３４】
また、推奨設定１３００は、画像表示装置３０４に表示される、図１３に示す管理者のみがアクセス可能な画面上で予め設定される。具体的には、管理者は事前に図１３の画面上でボタン１３０１〜１３０３を押下することにより推奨設定１３００を設定する事ができる。本実施例では、図１３に示すように、ページ集約の設定として「２ｉｎ１」、カラーモードの設定として「白黒」プリント、片両面設定として「両面プリント」という設定が推奨設定１３００として設定されている。
【００３５】
尚、本実施例では、推奨設定１３００と管理者設定７００がそれぞれ独立して図７，１３に示す画面を用いて設定されるが、１つの設定画面で同時に設定される構成としてもよい。なお、推奨設定１３００として設定変更可能な選択肢は、図１４のテーブル１４００で示す通りである。
【００３６】
図１１は、本実施例にかかる印刷設定変更処理の手順を示すフローチャートである。
【００３７】
本処理は、ＰＣ１０１からユーザが送信した印刷ジョブが留め置き印刷用領域６０１に留め置かれた状態にある場合に実行される。尚、セキュリティの観点から、ユーザが認証装置３２０によりＭＦＰ１０２にログインしてからしか本処理を開始できないようにしてもよい。
【００３８】
図１１において、ステップＳ１１０１では、制御部５０２はユーザにより、留め置かれている印刷ジョブの選択を受け付ける。ユーザからの印刷ジョブの選択を受け付けた場合、制御部５０２がその印刷ジョブの設定１２００を取得する（ステップＳ１１０２）。
【００３９】
ステップＳ１１０３では、管理者設定取得部５０３は管理者設定７００を取得する。ステップＳ１１０４では、制御部５０２が印刷ジョブの設定１２００に含まれるページ数の属性を示す設定１２０５をチェックした後、ステップＳ１１０５に進む。尚、本実施例では実行されないが、ここでチェックされたページ数に応じて処理を変更するようにしてもよい。例えば、このチェックの結果、印刷ジョブのページ数が５０枚未満の場合、そのまま本処理を終了し、印刷ジョブのページ数が５０枚以上の場合のみステップＳ１１０５に進むようにしてもよい。
【００４０】
ステップＳ１１０５では、警告設定判断部５０４は印刷ジョブの設定１２００と管理者設定７００を比較して、一致するものがある場合、ステップＳ１１０６で制御部５０２は警告画面８００を表示し、ステップＳ１１０７に進む。一方、ステップＳ１１０５における比較の結果、一致するものがない場合、ステップＳ１１１１で、印刷実行部５０６は印刷ジョブの印刷をその設定１２００を変更することなく実施（印刷投入）する。
【００４１】
ステップＳ１１０７で警告画面８００へのユーザ入力を受け付けると、ステップＳ１１０８において受け付けたユーザ入力がどのボタン押下であるかを検知する。ステップＳ１１０８で「設定変更してプリント」ボタン８５０の押下であると検知した場合、設定変更部５０５が印刷ジョブの設定１２００のうち管理者設定と一致するものを推奨設定１３００に一括変更する（ステップＳ１１１０）。その後、印刷実行部５０６が印刷ジョブの印刷を実施（印刷投入）して（ステップＳ１１１１）、本処理を終了する。一方、ステップＳ１１０８で「プリントしない」ボタン８４０の押下であると検知した場合、印刷実行部５０６は印刷ジョブの印刷投入をキャンセルして（ステップＳ１１０９）、本処理を終了する。また、ステップＳ１１０８で「このままプリント」ボタン８４０の押下であると検知した場合、印刷実行部５０６は設定１２００を変更することなく印刷ジョブの印刷を実施（印刷投入）し（ステップＳ１１１１）、本処理を終了する。
【実施例２】
【００４２】
本実施例は、印刷ジョブの設定１２００のうち管理者設定７００と一致するものがあっても、その設定が一括で推奨設定１３００に変換されることをユーザが希望していない場合に対応する例である。具体的には、図８の警告画面８００の代わりに、図９の警告画面９００が本実施例においては画像表示装置３０４に表示される点が主として実施例１と異なる。よって、実施例１と同一内容の構成については同一の符号を付し、重複した説明は省略する。
【００４３】
実施例２においては、警告対象として予め設定された管理者設定７００と一致する設定が印刷ジョブの設定１２００にある場合、画像表示装置３０４に警告画面９００が表示される。この警告画面９００上で「設定変更画面表示」ボタン９５０がユーザにより押下されると、設定変更部５０５は画像表示装置３０４に設定変更画面１０００（図１０）を表示する。この設定変更画面１０００には、印刷ジョブの設定１２００を、管理者設定７００と一致するものについては推奨設定１３００を反映した状態で表示される。ユーザはこの設定変更画面１０００上のボタン１０１０〜１０３０を押下することにより、印刷ジョブの設定１２００のうち、推奨設定１３００が反映された設定１２０２〜１２０４を変更することができる。これにより、印刷ジョブの設定１２００のうち、設定変更部５０５で変更された設定をユーザは容易に再変更することができる。尚、この警告画面９００に推奨設定１３００を同時に表示するようにしてもよい。
【００４４】
尚、印刷ジョブの設定１２００のうち管理者設定７００と一致すると判定され、推奨設定１３００に変更された設定については、設定変更画面１０００において強調表示がされる。本実施例では、図１０の設定１００１〜１００３のうち設定１００１のみが推奨設定１３００に変更された設定である。よって、設定１００１〜１００３のうち設定１００１のみ強調表示させるべく、図１０に示すように太字で設定変更画面１０００に表示される。
【００４５】
また、本実施例も実施例１と同様に、管理者設定７００である１ｉｎ１、片面プリント、カラープリントと一致するものが印刷ジョブの設定１２００にある場合のみ、制御部５０２は警告画面９００を表示する。
【００４６】
さらに、本実施例においては、「設定変更画面表示」ボタン９５０がユーザにより押下されると、設定変更画面１０００が表示されたが、図１３の推奨設定１３００の設定用画面が表示されるようにしてもよい。「設定変更画面表示」ボタン９５０のユーザ押下の際、いずれの画面を表示するかは管理者により予め設定されており、制御部５０２がその設定に基づき表示切替を行う。すなわち、本実施例においては、図１３の画面は、管理者のみがアクセス可能な画面として表示されるだけでなく、「設定変更画面表示」ボタン９５０を押下したユーザが印刷ジョブの設定１２００を再変更することが可能な画面として表示される。
【００４７】
以上説明した通り、実施例１における警告画面８００や実施例２における警告画面９００に表示された警告内容に沿った設定変更を、ＭＦＰ１０２に留め置かれた印刷ジョブに対してユーザが容易に行うことができる。
【００４８】
また、本発明の目的は、以下の処理を実行することによっても達成される。即ち、上述した実施例の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。この場合、記憶媒体から読み出されたプログラムコード自体が前述した実施の形態の機能を実現することになり、そのプログラムコード及び該プログラムコードを記憶した記憶媒体は本発明を構成することになる。
【符号の説明】
【００４９】
１０１  ＰＣ
１０２  ＭＦＰ
３０１  ＣＰＵ
３０２  ＲＡＭ
３０３  補助記憶装置
３０４  画像表示装置
３０５  ユーザコマンド入力装置
３０６  ＮＩＣ
３０７  印刷部
３２０  認証装置
【図１】
2018144256.tif 000003
【図２】
2018144256.tif 000004
【図３】
2018144256.tif 000005
【図４】
2018144256.tif 000006
【図５】
2018144256.tif 000007
【図６】
2018144256.tif 000008
【図７】
2018144256.tif 000009
【図８】
2018144256.tif 000010
【図９】
2018144256.tif 000011
【図１０】
2018144256.tif 000012
【図１１】
2018144256.tif 000013
【図１２】
2018144256.tif 000014
【図１３】
2018144256.tif 000015
【図１４】
2018144256.tif 000016